(57)【特許請求の範囲】
【請求項１】
対地作業機を、左右傾斜調節自在にローリングシリンダ（４７）を介して装設させるトラクタにおいて、
左右傾斜動作を検出すべく、トラクタ（１）の前後方向機体中心線上で後走行輪（７）の車軸軸芯線の略直上に、センサ台（６６）を配置し、該センサ台（６６）を介して、トラクタ（１）の左右傾斜動作の加速度を検出するジャイロ型角速度センサ（５９）と、本機傾斜センサ（６０）を固定し、
更に、対地作業機の左右傾斜動作を検出する中央傾斜センサ（６１）を対地作業機の略中央に設け、該中央傾斜センサ（６１）の左右に左傾斜センサ（６２）と右傾斜センサ（６３）を配置したことを特徴とするトラクタ。
【発明の詳細な説明】
【０００１】
【発明の属する技術分野】
本発明は、耕耘作業を行う耕耘ロータリ作業機またはプラウなどの対地作業機を牽引するトラクタに関する。
【０００２】
【従来の技術】
従来、耕耘ロータリ作業機またはプラウなどの対地作業機を昇降自在に装設して耕耘作業を行うとき、左右傾斜動作を傾斜センサによって検出し、対地作業機を略水平に保つが、実際の傾斜動作に対して水平制御動作が遅れ易い不具合がある。
【０００３】
【発明が解決しようとする課題】
そこで、左右傾斜動作を角速度センサによって検出し、水平制御動作の遅れをなくすことも行えるが、角速度センサの傾斜検出が左右均等であるのに対し、傾斜センサの傾斜検出が左右で異なり易く、前記各センサの検出値対比など自動制御を行う設定の簡略化並びに前記各センサの配置によるセンサ取付け構造のコンパクト化及びコスト低下などを容易に図り得ない等の問題があった。
【０００４】
【課題を解決するための手段】
然るに、本発明は課題を解決する為に次の如く構成したものである。
対地作業機を、左右傾斜調節自在にローリングシリンダ（４７）を介して装設させるトラクタにおいて、左右傾斜動作を検出すべく、トラクタ（１）の前後方向機体中心線上で後走行輪（７）の車軸軸芯線の略直上に、センサ台（６６）を配置し、該センサ台（６６）を介して、トラクタ（１）の左右傾斜動作の加速度を検出するジャイロ型角速度センサ（５９）と、本機傾斜センサ（６０）を固定し、更に、対地作業機の左右傾斜動作を検出する中央傾斜センサ（６１）を対地作業機の略中央に設け、該中央傾斜センサ（６１）の左右に左傾斜センサ（６２）と右傾斜センサ（６３）を配置したものである。
【０００５】
【発明の実施の形態】
以下、本発明の実施例を図面に基づいて詳述する。図１は耕耘制御回路図、図２は全体の側面図、図３は同平面図、図４は耕耘ロータリ作業機部の側面図、図５は同背面説明図である。
図中（１）は走行車であるトラクタであり、エンジン（２）を内設させるボンネット（３）両側に左右の前走行輪（４）（４）を装設させ、前記ボンネット（３）後部に操向ハンドル（５）を設け、該ハンドル（５）後方に運転席（６）を設置させ、運転席（６）両側外方に左右の後走行輪（７）（７）を装設させると共に、運転席（６）前側のステップ（８）に左右ブレーキペダル（９）（９）及びクラッチペダル（１０）を配設させ、作業者が運転席（６）に座乗して走行移動するように構成している。
【０００６】
また、前記走行輪（４）（７）を駆動するミッションケース（１１）に、ロワリンク（１２）及びトップリンク（１３）を介して耕耘ロータリ作業機（１４）を取付け、該作業機（１４）をトラクタ（１）後側に昇降自在に装設させるものである。
走行主変速レバー（１５）と、前記作業機（１４）を手動操作で昇降させるポジションコントロールレバー（１６）と、前記作業機（１４）を非作業上昇位置及び耕耘作業下降位置にワンタッチ動作で昇降させる昇降スイッチ（１７）を、運転席（６）の右側に配置させている。
それと共に、走行副変速レバー（１８）と、前記作業機（１４）への出力を変更させるＰＴＯ変速レバー（１９）を、運転席（６）の左側に配置させる。
【０００７】
さらに、前記作業機（１４）の中央にギアボックス（２０）を配置し、トラクタ（１）のＰＴＯ軸（２１）から動力を伝えると共に、前記ギアボックス（２０）側面より両側方にビーム（２２）を突出し、該ビーム（２２）のそれぞれの中途部に支持プレート（２３）を固設している。
該支持プレート（２３）の前端にはロワリンク（１２）を連結させ、支持プレート（２３）後端にはデプスフレーム（２４）の前端を枢支し、該デプスフレーム（２４）後端側に左右尾輪（２５）（２５）を設けている。
【０００８】
前記ビーム（２２）の外側端にチェーンケース（２６）上部とサイドサポート（２７）上部が固設され、該チェーンケース（２６）下部とサイドサポート（２７）下部の間に耕耘爪軸（２８）が横架されている。
該耕耘爪軸（２８）上にナタ爪よりなる多数のロータリ爪（２９）…が側面視で放射状に植設されると共に、該ロータリ爪（２９）の回転軌跡上方がロータリカバー（３０）によって覆われ、両側はサイドカバー（３１）によって覆われている。
そして、該耕耘爪軸（２８）はギアボックス（２０）内のギア、ビーム（２２）内の伝動軸、チェーンケース（２６）内のスプロケット及びチェーンを介して駆動され、ロータリ爪（２９）…が回転されることによって耕耘ができると共に、ハンドル（３２）の回転操作によって耕耘爪軸（２８）軸芯を中心にロータリカバー（３０）を前後に回転させることができるようにしている。
【０００９】
そして、前記ビーム（２２）に固定するプレート（３３）を前方に突設させ、該プレート（３３）前端に支持杆（３４）が横架され、該支持杆（３４）に取付プレート（３５）が固定され、該取付プレート（３５）に切断刃（３６）の上部が固定されている。
なお、切断刃（３６）を左右幅方向でロワーリンク（１２）より機外側方に４本装着すると共に、切断刃（３６）の中間部は後方に湾曲させ、前後に傾斜させる切断刃（３６）の直線形下部を前記ロータリ爪（２９）の回転軌跡の前部内に後傾形に臨ませている。
つまり、側面視において切断刃（３６）の下部がロータリ爪（２９）の回転軌跡の前部でオーバーラップするように配置させると共に、切断刃（３６）とこれに隣り合うロータリ爪（２９）の左右方向間隔は狭くして残耕ができないようにしている。
但し、外側２本の切断刃（３６）（３６）はロータリ爪（２９）と偏心爪（３７）の間に設ける。また、切断刃（３６）の後面とロータリカバー（３０）の間には仕切板（３８）が配設されている。
即ち、該仕切板（３８）は切断刃（３６）の背面に固設されており、仕切板（３８）をロータリカバー（３０）に接近させて、藁や雑草等が入り込み絡み付かないようにしている。
また、仕切板（３８）は三角形状に構成されて、上部の辺はロータリカバー（３０）の内側の形状に合わせ、前部の辺は切断刃（３６）の後面の形状に合わせて密着して固定できるようにし、後部の辺は円弧状として藁等を下方へ導く形状としている。そして、仕切板（３８）の幅（板厚）は切断刃（３６）の幅より狭くして、藁や雑草等が絡みつかないようにしている。
【００１０】
さらに、ロータリ爪（２９）上側のロータリカバー（３０）後端に、第１支点軸（３９）を介して鋼板製第１リヤカバー（４０）を上下方向に揺動自在に連結させ、第１リヤカバー（４０）後端にゴム製第２リヤカバー（４１）前端を固定させ、下方に均し空間（４２）を形成する第２リヤカバー（４１）後端に鋼板製第３リヤカバー（４３）前端を固定させるものである。
ロータリ爪（２９）の回転軌跡上端と略同じ高さまたはそれ以上に高い位置に第１支点軸（３９）を取付け、耕耘作業時に第１支点軸（３９）を中心にリヤカバー（４０）（４１）（４３）が上昇することにより、ロータリ爪（２９）の回転軌跡後方でリヤカバー（４０）（４１）（４３）下方に大きな面積の均し空間（４２）が形成され、リヤカバー（４０）（４１）（４３）によって前方に押す土がロータリ爪（２９）の土跳ね上げ部に至るのを防止し、高速走行での耕耘作業によるロータリ爪（２９）の耕耘負荷増加を防止するものである。
耕耘作業時、ロータリ爪（２９）が地上に抜出する地点（Ａ）を中心とする半径の円弧線上に、リヤカバー（４０）（４１）（４３）が耕土によって持上げられて配置され、ロータリ爪（２９）の回転軌跡の面積の約５０パーセント以上の大きさの均し空間（４２）をロータリ爪（２９）回転軌跡後側とリヤカバー（４０）（４１）（４３）の間に形成させる。細かい土塊または軽い土塊など小形物がロータリ爪（２９）によってロータリカバー（４０）（４１）下面の高位置に飛散され、大きい土塊または重い土塊または切り株（稲株）など大形物がロータリ爪（２９）によって低い位置に飛散され、ロータリ爪（２９）の飛散による比重分離作用によって小形物が上層となり、また大形物が下層となり、上層の小形物がリヤカバー（４１）（４３）によって均平にされ、後方のレーキによって大形物がさらに下方に押下げられる。
従って、大形物によって培土内部の通気性及び通水性が良好に保たれると共に、播種または苗移植に適した状態に培土表層部が小形物によって形成される。
【００１１】
さらに、前記耕耘爪軸（２８）を中心に同一円周上に９０度の間隔で４本のロータリ爪（２９）…を取付け、各ロータリ爪（２９）先端側を交互に左右方向に向けて湾曲させ、耕耘爪軸（２８）の直交平面上で４本１列のロータリ爪（２９）…を耕耘爪軸（２８）軸芯線方向に複数列設けるものである。
左右方向で対向させるロータリ爪（２９）（２９）の先端軌跡間に間隙を設け、ロータリ爪（２９）の左右側方湾曲幅を先端軌跡間隙の約２倍の大きさとし、左右方向のロータリ爪（２９）（２９）基端間隔が先端軌跡間隙の約５倍の大きさになるようにロータリ爪（２９）を形成している。
また、前記ロータリ爪（２９）は土を切取った後に掬取る形状に湾曲させ、ロータリ爪（２９）の先端湾曲部の水平分力により土を横方向に押移動させる力並びにロータリ爪（２９）の弾力変形の横方向の反撥力により掬取り土を耕耘爪軸（２８）軸芯と略平行な横方向に押出し、左右ロータリ爪（２９）（２９）先端軌跡間隙の残耕となる部位の土を破砕させ、残耕が形成されるのを防ぐ構造としたものである。
従来のロータリ爪取付け本数の約７０パーセントの本数のロータリ爪（２９）…を取付け、ロータリ爪（２９）の回転速度を従来の回転速度（１分間に約２００〜４００回転）と略同一とし、トラクタ（１）の走行速度を従来の走行速度（１秒間に約０．５メートル）の約２倍とし、従来に比べて耕耘負荷を増大させることなく、作業能率を約２倍にして耕耘作業を行えるように構成している。
また、前記ロータリ爪（２９）の土中突入地点に対し側面視で重複する位置で前記切断刃（３６）を土中に突入させ、切断刃（３６）の土中突入部を後方傾斜支持させ、かつ切断刃（３６）の左右両面を幅を有する偏平面で形成し、牽引により切断刃（３６）が土中に進入する下向きの力と、切開される土が復元力によって切断刃（３６）側面に圧接する力が、切断刃（３６）の抜出し抵抗力として発生する。
ロータリ爪（２９）の土中突入抵抗の反力と略等しいか若干大きい切断刃（３６）の抜出し抵抗力により、土中突入抵抗の反力によって耕耘ロータリ作業機（１４）全体が上方に持上げられるのを防ぎ、ロータリ爪（２９）が土中突入によって発生する衝撃を緩和させるように構成している。
なお、耕耘爪軸（２８）後方側では、リヤカバー（４０）（４１）（４３）の均平力の反力（持上げ力）に対向してロータリ爪（２９）抜出し力の反力が発生し、各反力の均衡によって耕耘姿勢を安定させる。
【００１２】
さらに、前記ミッションケース（１１）上面に設ける油圧リフトの左リフトアーム（４４）にリフトロッド（４５）を介して左ロワーリンク（１２）を連結させると共に、右リフトアーム（４６）に右ロワーリンク（１２）をローリングシリンダ（４７）によって連結させ、右リフトアーム（４６）を定位置に固定させた状態でローリングシリンダ（４７）のピストン（４８）出入により右ロワーリンク（１２）を上下に揺動させ、圃場耕盤と略平行になるようにロータリ作業機（１４）を左右に傾斜調節するものである。
前記ピストン（４８）の出入量を検出するストロークセンサ（４９）を設け、トラクタ（１）に対する作業機（１４）の左右傾斜状態並びに傾斜調節量などを検出させるように構成している。
【００１３】
さらに、図１に示す如く、マイクロコンピュータで形成する耕耘コントローラ（５０）にエンジン（２）の負荷検出手段である電子ガバナコントローラ（５１）を接続させるものである。
エンジン（２）の回転数を変更するラックアクチュエータ（図示省略）などを有する電子ガバナ（５２）と、作業者が操作するアクセルレバーまたはペダル（図示省略）の操作量を検出するポテンショメータ型アクセルセンサ（５３）と、エンジン（２）の回転数を検出するピックアップ型回転センサ（５４）を、前記電子ガバナコントローラ（５１）に接続させ、電子ガバナ（５２）制御によってエンジン（２）の回転数を変化させて走行速度を略一定に維持する。
それと共に、エンジン（２）の負荷基準値を設定する負荷設定器（５５）を前記耕耘コントローラ（５０）に入力接続させ、ロワリンク（１２）を介し作業機（１４）を昇降させる油圧昇降シリンダ（５６）の電磁式昇降バルブ（５７）に前記コントローラ（５０）を出力接続させ、電子ガバナコントローラ（５１）のエンジン（２）負荷検出によって昇降バルブ（５７）を自動制御して作業機（１４）のトラクタ（１）に対する支持高さを可変させ、作業機（１４）の耕耘深さを調節制御するように構成している。
【００１４】
さらに、前記コントロールレバー（１６）の作業機（１４）下降操作によってオンになるポジションスイッチ（５８）と、トラクタ（１）の左右傾斜動作の加速度を検出するジャイロ型角速度センサ（５９）と、トラクタ（１）の左右傾斜動作（傾斜角度）を検出する本機傾斜センサ（６０）と、前記作業機（１４）の左右傾斜動作（傾斜角度）を検出する中央傾斜センサ（６１）及び左傾斜センサ（６２）及び右傾斜センサ（６３）と、各傾斜センサ（６０）〜（６３）の入力を切換えるセンサ選択スイッチ（６４）と、ローリングシリンダ（４８）を作動させる電磁式油圧ローリングバルブ（６５）を、耕耘コントローラ（５０）に接続させる。
前記各センサ（５９）〜（６３）の検出結果に基づき、コントローラ（５０）からの左上げまたは右上げローリング駆動パルス信号出力によりローリングバルブ（６５）を作動させ、ローリングシリンダ（４７）をパルス駆動によって作動させ対地作業機（１４）の左右傾斜を修正するものである
トラクタ（１）が左右に傾動したとき、作業機（１４）の左右傾斜角度を傾斜センサ（６０）〜（６３）によって検出させると共に、トラクタ（１）の左右傾斜加速度を角速度センサ（５９）によって検出させ、作業機（１４）の水平制御を自動的に行わせるように構成している。
【００１５】
また、図２，図３から明らかなように、トラクタ（１）の前後方向機体中心線上で後走行輪（７）の車軸軸芯線の略直上にセンサ台（６６）を介して、前記角速度センサ（５９）と本機傾斜センサ（６０）を固定させるものである。
対地作業機である耕耘ロータリ作業機（１４）を左右傾斜調節自在に水平制御部材であるローリングシリンダ（４７）を介して装設させるトラクタ（１）において、左右傾斜動作を検出する角速度センサ（５９）と傾斜センサ（６０）を本機の略中央に設け、傾斜センサ（６０）によって左右傾斜動作を左右均等に検出させる。
それと共に、角速度センサ（５９）と傾斜センサ（６０）を同一部位に取付け、自動制御の簡略化並びに取付け構造のコンパクト化及びコスト低下などを図れるように構成している。
【００１６】
さらに、図３，図５に示す如く、前記耕耘爪軸（２８）の軸芯線の略直上で、ロータリカバー（３０）の左右幅中央上面に、中央傾斜センサ（６１）を固定させるもので、左右傾斜動作を検出する角速度センサ（５９）を本機の略中央に設け、また左右傾斜動作を検出する中央傾斜センサ（６１）をロータリ作業機（１４）の略中央に設け、中央傾斜センサ（６１）によって左右傾斜動作を左右均等に検出させ、前記各センサ（５９）（６１）の傾斜検出に基づく自動制御の簡略化及び制御機能の向上などを図るように構成している。
また、ロータリカバー（３０）の左右幅左側上面に左傾斜センサ（６２）を設けることにより、ローリングシリンダ（４７）によって右側を昇降させる作業機（１４）の傾斜調節に伴って生じる上下動（回転モーメント）の影響を殆んど受けることなく左傾斜センサ（６２）の検出動作を行わせることができる。
【００１７】
本実施例は上記の如く構成するもので、図６のフローチャートに示す如く、ポジションコントロールレバー（１６）の作業機（１４）下げ操作によってポジションスイッチ（５８）がオンになり、昇降バルブ（５７）制御によって昇降シリンダ（５６）が下降動作し、作業機（１４）を着地させるものである。
従来、例えば爪軸（２８）１回転当りの爪本数を１本で、爪軸回転数略１７０ｒｐｍ、車速０．５ｍ／ｓの作業条件で行われる作業を、爪軸（２８）１回転当りの爪本数を２本として、爪軸回転数略１７０ｒｐｍ、車速１〜１．５ｍ／ｓの作業条件で行うことにより、走行速度を従来の略２倍以上に高速にし、作業能率を大巾に向上させるものである。
【００１８】
また、角速度センサ（５９）入力によりトラクタ（１）の左傾または右傾を検出したとき、角速度センサ（５９）の検出結果に基づきローリングバルブ（６５）を切換えてローリングシリンダ（４７）を作動させ、左傾または右傾の修正を開始させると共に、各傾斜センサ（６０）〜（６３）のいずれか１つの入力による作業機（１４）の左傾または右傾を検出し、傾斜センサ（６０）〜（６３）の検出結果に基づきローリングシリンダ（４７）を作動させ、作業機（１４）の左上げまたは右上げ動作により、作業機（１４）の左右傾きを修正するものである。
【００１９】
また、前記負荷設定器（５５）値入力と、ガバナコントローラ（５１）のエンジン（２）負荷入力により、エンジン（２）の負荷が適正になるように、作業機（１４）を昇降させて耕深を変更する昇降バルブ（５７）制御と、エンジン（２）の出力を増減させる電子ガバナ（５２）制御が自動的に行われるもので、エンジン（２）を適正負荷で運転し乍ら、作業機（１４）を水平に保って高速走行による耕耘作業を行わせるものである。
【００２０】
【発明の効果】
以上実施例から明らかなように本発明は、次のような効果を奏するものである。
対地作業機（１４）を左右傾斜調節自在に水平制御部材（４７）を介して装設させるトラクタ（１）において、左右傾斜動作を検出する角速度センサ（５９）と傾斜センサ（６０）を本機の略中央に設けたもので、傾斜センサ（６０）によって左右傾斜動作を左右均等に検出できると共に、角速度センサ（５９）と傾斜センサ（６０）を同一部位に取付けることができ、自動制御の簡略化並びに取付け構造のコンパクト化及びコスト低下などを容易に図るとができるものである。
【００２１】
また、対地作業機（１４）を左右傾斜調節自在に水平制御部材（４７）を介して装設させるトラクタ（１）において、左右傾斜動作を検出する角速度センサ（５９）を本機の略中央に設け、また左右傾斜動作を検出する中央傾斜センサ（６１）を対地作業機（１４）の略中央に設け、該中央傾斜センサ（６１）の左右の位置に左傾斜センサ（６２）と右傾斜センサ（６３）を配置したもので、傾斜センサ（６１）によって左右傾斜動作を左右均等に検出でき、前記各センサ（５９）（６０）（６１）（６２）（６３）の傾斜検出に基づく自動制御の簡略化及び制御機能の向上などを、容易に図ることができるものである。
【図面の簡単な説明】
【図１】  耕耘制御回路図。
【図２】  全体の側面図。
【図３】  同平面図。
【図４】  耕耘ロータリ作業機の側面図。
【図５】  同部の背面説明図。
【図６】  図１のフローチャート。
【符号の説明】
（１）  トラクタ
（１４）  耕耘ロータリ作業機
（４７）  ローリングシリンダ
（５９）  角速度センサ
（６０）  本機傾斜センサ
（６１）  中央傾斜センサ
【図１】
0003655072.tif 000002
【図２】
0003655072.tif 000003
【図３】
0003655072.tif 000004
【図４】
0003655072.tif 000005
【図５】
0003655072.tif 000006
【図６】
0003655072.tif 000007